(57)【特許請求の範囲】
【請求項１】
シート・バック形状を保つメイン・フレームと、ネット表面側でネット端末にフレーム・フックを縫い付け、ネット裏面側でそのネット端末にトリム・フックの耳布を縫い付けてそのネット裏面側にそのトリム・フックを配置し、そして、そのフレーム・フックでそのネット端末をそのメイン・フレームに止めて張り状態に背当て面を形成するネットと、その背当て面に対応する部分の肉を取り除いてネット窓を開口し、そして、そのメイン・フレームを巻き込んでそのメイン・フレームの外周に組み付けられるシート・バック・パッドと、そのシート・バック・パッド上に被せられ、そのネット端末寄りでそのネット表面においてそのネットに一方の表皮端末を縫い付けてそのシート・バック・パッドのそのネット窓の開口縁を巻き込み、そして、他方の表皮端末に細長い樹脂プレートを縫い付け、そのシート・バック・パッドの背裏端を巻き込んでその細長い樹脂プレートをそのトリム・フックに引っ掛け、そのメイン・フレームに止められてそのメイン・フレームを被包する表皮とを含むシート・バック。
【発明の詳細な説明】
【０００１】
【発明の関係する分野】
この発明は、乗り物シートに用いるシート・バックに関し、特に、自動車シート、例えば、レクリエーショナル・ビーグル、スポーツ・カー、ワゴンなどのシートに適するシート・バックに関する。
【０００２】
【背景技術】
最近のレクリエーショナル・ビーグルやスポーツ・カーでは、シートがネット張りシート・バックを用いる傾向にある。そのシート・バックは、表皮の端末隠しやその表皮によるフレーム端隠しにクリップやガーニッシュを用いるので、その処理が複雑で部品点類が多く、そして、コスト上昇につながる。
【０００３】
【発明の課題】
この発明の課題は、組み付け部品を少なくできて表皮の端末処理を簡素化でき、フレームを容易に隠せてスマートに仕上がり、そして、見映えを向上するところのシート・バックの提供にある。
【０００４】
【課題に相応する手段およびそれの作用】
この発明は、シート・バック形状を保つメイン・フレームと、ネット裏面側にトリム・フックを配置してそのトリム・フックの耳布をネット端末に縫いつけ、そして、フレーム・フックでそのネット端末をそのメイン・フレームに止めて張り状態に背当て面を形成するネットと、その背当て面に対応する部分の肉を取り除いてネット窓を開口し、そして、そのメイン・フレームに組み付けられるシート・バック・パッドと、そのシート・バック・パッド上に被せられ、そのネット端末よりでそのネット表面に一方の表皮端末を縫い付けてそのシート・バック・パッドのそのネット窓の開口縁を巻き込み、そして、他方の表皮端末に細長い樹脂プレートを縫い付け、そのシート・バック・パッドの背裏端を巻き込んでその細長い樹脂プレートをそのトリム・フックに引っ掛けてそのメイン・フレームに止められる表皮とを含み、そして、そのフレーム・フックでそのメイン・フレームにそのネットを止めてからそのメインフレームおよびネット端末にそのシート・クッション・パッドを被せ、そして、その他方の表皮端末にそのトリム・フックを巻き込ませるようにそのトリム・フックにその細長い樹脂プレートを差し込んでその表皮をそのメイン・フレームに止めることによって仕上げられる。
【０００５】
【具体例の説明】
以下、特定されて図示された具体例に基づいて、この発明のシート・バックを説明するに、図１ないし図３は、レクリエーショナル・ビーグルにも使える軽ワゴンにおいてフロント・シート３０に活用されるところのこの発明のシート・バックの具体例１０を示し、そして、そのシート・バック１０は、左右のリクライニング・デバイス（図示せず）でシート・クッション３１に角度調整可能に支持され、そして、ヘッド・レストレインと（図示せず）を取り外し可能に取り付けてそのフロント・シート３０に組み立てられる。
【０００６】
そのシート・バック１０では、メイン・フレーム１１が、リップ付き横断面Ｚ形マグネシウム・フレームに作られてシート・バック１０の形状を保ち、また、ネット１２が、ネット裏面１９側にトリム・フック２２を配置してそのトリム・フック２２の耳布２３をネット端末２０に縫い付け、そして、フレーム・フック２１でそのネット端末２０をそのメイン・フレーム１１に止めて張り状態に背当て面１５を形成し、さらに、シート・バック・パッド１３が、その背当て面１５に対応する部分の肉を取り除いてネット窓２４を開口し、そして、そのメイン・フレーム１１に組み付けられ、またさらに、表皮１４が、そのシート・バック・パッド１３上に被せられ、そのネット端末よりでそのネット表面１８に一方の表皮端末２７を縫い付けてそのシート・バック・パッド１３のそのネット窓２４の開口縁２５に巻き込み、そして、他方の表皮端末２８に細長い樹脂プレート２９を縫い付け、そのシート・バック・パッド１３の背裏端２６を巻き込んでその細長い樹脂プレート２９をそのトリム・フック２２に引っ掛けてそのメイン・フレーム１１に止められる。
【０００７】
そのネット１２は、予めそのネット端末２０にそのフレーム・フック２１およびそのトリム・フック２２のその耳布２３を重ねて共縫いし、そして、そのフレーム・フック２１でそのメイン・フレーム１１のフロント・リップ１６に引っ掛けて止められ、また、そのトリム・フック２２にその細長い樹脂プレート２９を差し込み可能にする。
【０００８】
そのシート・クッション・パッド１３は、その背裏端２６でそのメイン・フレーム１１のリア・リップ１７を巻き込んでそのメイン・フレーム１１の外周に組み付けられてそのメイン・フレーム１１を覆う。
【０００９】
したがって、そのシート・バック１９は、先ず、そのネット１２がそのメイン・フレーム１１のそのフロント・リップ１６にそのフレーム・フック２１を引っ掛けてそのメイン・フレーム１１にぴんと張られ、次に、その表皮１４が予めその一方の表皮端末でそのネット表面１８に縫い付けられているので、その表皮１４はそのシート・バック・パッド１３のそのネット窓２４の開口縁２５を巻き込んでそのシート・バック・パッド１３に被せられる。そして、その表皮１４はそのシート・バック・パッド１３のその背裏端２６を巻き込んでその細長い樹脂プレート２９をそのトリム・フック２２に差込み状態で引っ掛ける。そのように、その細長い樹脂プレート２９がその他方の表皮端末２８にそのトリム・フック２２を巻き込ませてそのトリム・フック２２に差し込まれると、その表皮１４はそのメイン・フレーム１１に止められる。そうすると、そのシート・バック１０は、図２に示された状態に組み立てられる。
【００１０】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１１】
【発明の便益】
上述から理解されるように、この発明のシート・バックは、シート・バック形状を保つメイン・フレームと、ネット裏面側にトリム・フックを配置してそのトリム・フックの耳布をネット端末に縫いつけ、そして、フレーム・フックでそのネット端末をそのメイン・フレームに止めて張り状態に背当て面を形成するネットと、その背当て面に対応する部分の肉を取り除いてネット窓を開口し、そして、そのメイン・フレームに組み付けられるシート・バック・パッドと、そのシート・バック・パッド上に被せられ、そのネット端末よりでそのネット表面に一方の表皮端末を縫い付けてそのシート・バック・パッドのそのネット窓の開口縁を巻き込み、そして、他方の表皮端末に細長い樹脂プレートを縫い付け、そのシート・バック・パッドの背裏端を巻き込んでその細長い樹脂プレートをそのトリム・フックに引っ掛けてそのメイン・フレームに止められる表皮とを含むので、この発明のシート・バックでは、クリップやガーニッシュなどが省かれて組み付け部品が少なくでき、その表皮の端末処理が簡素化され、フレームが容易に隠されて仕上がりがスマートになり、そして、見映えが向上され、その結果、自動車シート、特に、レクリエーショナル・ビーグル、ワゴン、スポーツ・カーなどにとって非常に有用で実用的である。
【図面の簡単な説明】
【図１】この発明のシート・バックの具体例を活用するところの軽ワゴンのフロント・シートを示した斜視図である。
【図２】図１の２−２線に沿って示した断面図である。
【図３】そのシート・バックの組み立て手順を示した断面図である。
【符号の説明】
１１  メイン・フレーム
１２  ネット
１３  シート・バック・パッド
１４  表皮
１５  背当て面
１８  ネット表面
１９  ネット裏面
２０  ネット端末
２１  フレーム・フック
２２  トリム・フック
２３  耳布
２４  ネット窓
２５  開口縁
２６  背裏端
２７  一方の表皮端末
２８  他方の表皮端末
２９  細長い樹脂プレート
【図１】
0004271387.tif 000002
【図２】
0004271387.tif 000003
【図３】
0004271387.tif 000004